(57)【要約】    【課題】感光処理を施された面を有するガラス板材の収納に特に適する、感光面を有する板材を収納する為の容器を開示する。    【解決手段】該容器は、四面の壁部16、18と底部24を有することにより空洞部を包囲する容器部12を具備する。該容器は更に、容器部12を閉じる為の取り外し可能な蓋部14を具備する。該容器部12は、二面の対向する壁部16、18に配され板材56を受け止める案内溝28を含む。湾曲舌状部として形成された可撓性要素40は、底部又は蓋部と一体的に設けられ、容器10内に収納された板材が長手方向に移動しないように固定する。【選択図】  図１
2004262544.tif 000002
【特許請求の範囲】
【請求項１】
感光面を有する板材(56)、特に小型ガラス板材を収納する為の容器で、四面の壁部(16、18、20、22)と底部(24)を有することにより空洞部を包囲する容器部(12)と、容器部(12)を閉じる為の取り外し可能な蓋部(14)とを具備して成り、板材(56)を受け止める案内溝(28)が容器部の対向する二面の壁部(16、18)に設けられた、容器(10)内に収納された板材(56)が移動しないように固定する為の可撓性要素(40)を更に具備して成り、上記可撓性要素(40)は、底部(24)又は蓋部(14)と一体的に形成され、蓋部が閉じられた時に容器(10)内に収納された板材(56)の前面に弾性当接するように構成され、板材(56)が移動しないように固定することを特徴とする板材収納容器。
【請求項２】
上記可撓性要素(40)は、容器内に収納された板材(56)に対する当接面を形成する可撓性舌状部(40)として構成されることを特徴とする請求項１に記載の板材収納容器。
【請求項３】
上記舌状部(40)が、蓋部(14)の内面(42)から空洞部内へと突出することを特徴とする請求項２に記載の板材収納容器。
【請求項４】
上記容器(10)がホモポリマープラスチック、好ましくはホモポリマーポリプロピレンで形成されることを特徴とする上記請求項１〜３の何れかに記載の板材収納容器。
【請求項５】
上記蓋部(14)は、フィルム状ヒンジとして構成された接合部を介して容器部(12)に連結され、容器部(12)に係止可能であることを特徴とする上記請求項１〜４の何れかに記載の板材収納容器。
【請求項６】
容器部内へと突出する環状突起(44)が蓋部(14)の内面に設けられ、突起の外面には案内溝(46)が設けられ、案内溝がそれぞれ壁部(16、18、20、22)の内面に設けられた隆起(48)と係止可能であることを特徴とする請求項５に記載の板材収納容器。
【請求項７】
容器内に収納された板材(56)を支持する為に、支持突条(30、32)が底部(24)又は蓋部(14)の内面に設けられていることを特徴とする上記請求項１〜６の何れかに記載の板材収納容器。
【請求項８】
上記請求項1〜７の何れかに記載の板材収納容器を、プレパラートやバイオチップの表面機能化処理を施されたガラス材を収容する為の保存用又は運搬用容器として使用する容器の使用方法。
【発明の詳細な説明】
【技術分野】
【０００１】
本発明は、感光面を有する板材を収納する為の、特に小型のガラス板材を収納する為の容器に関し、特に四面の壁部と底部を有することで空洞部を取り囲んでいる容器部と、容器部を閉じる為の取り外し可能な蓋部を具備して成り、容器部の対向する壁部に板材を受け止める為のガイド溝が設けられ、容器内に収容された板材が移動しないように固定する為の可撓性要素が設けられる容器に関する。
【背景技術】
【０００２】
このような容器は、特許文献１により公知である。
この公知の容器は、感光材料がコーティングされた複数のガラス板材の梱包、運搬、保存の目的で使用される。
容器内のガラス板材を動かないようにする為に、ホース状のピロー要素がガラス板材が支持される面に対して直角に、容器の各コーナーか或は容器の側面に沿って設けられる。
【特許文献１】ドイツ特許公報DE 2,141,705 A1
【発明の開示】
【発明が解決しようとする課題】
【０００３】
このようなピロー要素は容器内に収納された板材の移動を安全に防止することができるが、可撓性ホースを別に用意して、容器内の所望の場所に取付けなければならない為、これらの容器の製造は困難である。
従って本発明の目的は、容器を閉じた時に、収納された板材を簡単に且つ効果的に保護することのできる改良された板材収納容器を提供すること、及びこのような容器を、簡単且つ良好なコスト効率で製造することにある。
【０００４】
このような容器は特に、バイオチップやバイオチップ製造材料となるガラス板材などのような、感光処理を施された面を有するガラス板材の安全な保存と運搬に適する。
【課題を解決するための手段】
【０００５】
本発明によると、本目的は冒頭に述べた種類の容器において、可撓性要素を底部又は蓋部と一体的に形成することにより達成される。この可撓性要素は、蓋を閉じた時に、容器に収納されたガラス板材の前面に当接するような形状に構成され、板材が長手方向に移動しないように固定する。
かくして本発明の目的は完全に達成される。
【０００６】
可撓性要素が底部又は蓋部と一体化した構成なので、モールド成形等により底部又は蓋部と共に一度に形成することができ、別個に製造して容器内に取り付ける手間が省ける。
これにより、このような容器の製造は、かなり簡略化されると同時にコストも削減できる。可撓性要素が容器に収容された板部材の前面に当接するので、蓋部を閉じると、板材は効果的に固定される。
【０００７】
本発明の好適な態様によると、可撓性要素は、容器に収納された板材に対する当接面を成す可撓性舌状部として構成される。
これは、容器に収納された板部を移動しないように固定する為の簡単且つコスト効率の良い手段である。だが可撓性要素は基本的には、例えば蛇腹要素、ばね要素、円板ばね要素等、可能ならどのような形状にでも設計することができる。
【０００８】
本発明では、舌状部は蓋部の内面から空洞部内に突出するのが好ましい。
当然ながら、舌状部を容器の底部に設けることも可能である。
本発明の好適な態様によると、容器はホモポリマープラスチック、好ましくはポリプロピレンで形成される。
このような、添加剤の割合が極端に少ない材料による利点は、容器内に感光板材を長期間保存しても、収納される板材の表面を汚染するような異物が容器から殆ど出ないということである。この材料には弾性もあり、容器全体を一体設計にすることを可能とする。
【０００９】
これまでの一般にプラスチックで形成されたホルダーボックスは、軟化剤及び/又はその他の添加剤を比較的高い割合で含んでいる。このような容器内にホルダーを保存している間に、軟化剤の一部がプラスチック材料から放出され、容器内に収納された板材の表面に積もって疎水層を形成する。ガラス板材をバイオチップとして使用する場合、この疎水層が、板材の表面と生物活性物質との反応を阻害するので、再現性が著しく損なわれる。
【００１０】
このような欠点は、本発明により回避できる。
本発明の好適な態様によると、蓋部は、フィルム状ヒンジとして形成された接合部を介して容器部と連結され、容器部に係止できるようになっている。
この為、蓋部の内面には、容器部内へと突出する環状突起が設けられ、その外面には、各壁部内面に設けられた隆起部と係合可能な溝が設けられる。
【００１１】
このようにして、蓋部により、容器を簡単に開閉することができる。同時に、紛失しないように、蓋部が容器部に連結されている。
本発明の別の好適な態様によると、底部又は蓋部の内面には支持突条が設けられ、容器に収納された板材を支持する。
これにより、板材の面に対する受け面が明確に区画され、板材は支持突条に支持されるので、最小の接触面で支持される。
【００１２】
上述したように、本発明の容器は、プレパラート、特に表面に機能化処理を施したガラス材や完成品としてのバイオチップとして構成されたプレパラートを収納する保存用又は運搬用容器として好適に使用される。
尚、上述した特徴及びこれから説明する特徴は、本文で取り上げた組合せだけでなく、本発明の範囲から逸脱しない限り他の組合せや単独でも使用できる。
【発明を実施するための最良の形態】
【００１３】
本発明の特徴及び利点について、添付図を参照して詳細に説明する。
図1において、本発明の容器全体を参照番号10で示す。
容器10は、略立方形の空洞部を取り囲む容器部12と、容器部12を閉じる蓋部14とで構成される。
図1に示す容器10は特に、機能化処理をされた面を有し、25(75.5(1 mm形式のプレパラート寸法を有する小型ガラス板材の収納に適する。
【００１４】
この小型板材の外形を、図1に一点鎖線56で示す。
容器部12は、対向する2面の幅狭側壁部16,18と、2面の幅広側壁部20,22と、底部24とを有する。図1に示すように、幅広側壁部20,22の底側の端部の幅は、蓋側の端部の幅よりも若干狭くなっており、軽くテーパリングした状態になっている。容器部12の蓋側は、平らなリム34により閉じられる。このリムの形状は図2に示される。リム34は、各側壁部16,18,20,22から四方に特定量だけ突出しており、また側壁部18からは、丸い先端部を有する三角形状に突出している（図2参照）。丸い先端部には、円形の開口50が設けられている。これと反対側で、リム34は舌状部36を介して平坦な蓋面52を有する蓋部14に連結される。この蓋面の寸法と形状は、容器部12のリム34と同じである（図2参照）。舌状部36には、肉落としによりフィルム状ヒンジ38が形成される。
【００１５】
つまり、蓋部14はフィルム状ヒンジ38を中心に回動して（図1参照）、容器を全開状態か或は、蓋面52がリム34に当接する密閉状態にすることができる。密閉位置では、蓋面52内に設けられた円形開口54が、開口50と整合するので、必要に応じて固定紐を挿通することにより、蓋部と容器部とを固定することができる。
蓋面52の内側42から環状突起44が、容器部12内に向かって突出する。この突起44は、図2に示すように角部が丸められた矩形を有し、リムに近接して配されて容器部12に面する環状溝46を具備する。この環状溝46は、側壁部16、18、20、22の内面に設けられると共に環状溝と合致する突条48と協同して、蓋部14がフィルム状ヒンジ38を中心に回動して完全に閉じた時に蓋部14を容器部12に係止する。
【００１６】
幅狭側壁部16、18にはそれぞれ、案内突条26が設けられる。この案内突条は、側壁部16、18の内面から内側に突出し、図2に示すように、側壁部から反対側の端部が軽く丸められている。これらの案内突条26は、底部24からリム34近辺の領域まで延び、側壁部16、18のリム34から特定の距離の場所に向かって漸減している。
本文では、両側壁部16、18にはそれぞれ、全部で6つの案内突条26が一定間隔で設けられており、その間に案内溝28が形成されている（図2参照）。
【００１７】
このようにして、全部で5枚の板材56を挿入する為のスペースが一定間隔に設けられるが、板材の側方は、こうして形成された案内溝28内を案内される。
また、可撓性の湾曲舌状部40が蓋面52の内面42に取り付けられ、容器部12内に向かって突出するとともに、傾斜して当接面41を成す。この当接面は蓋面52とほぼ平行である。蓋部14を閉じると、この当接面41が容器12内に収納された板材56の前面に弾性当接することにより、これらの板材が長手方向に移動しないように固定する。
【００１８】
底部24の内面には、2筋の支持突条30、32が一体的に設けられ、幅狭側壁部16、18と平行に延びる。これらの支持突条30、32は、板材56を容器12内に挿入した際のストッパーの役目を果す。
本容器10は、添加剤の非常に少ないホモポリマーのポリプロピレンを使って一体形成される。これにより、長期保存を経ても、軟化剤やその他の添加剤の放出がほぼ完全に抑えられる。こうして、容器10内に収納された板材56、特に表面に機能処理を施されたガラス材やバイオチップは、容器材料から放出される不純物による汚染から保護される。
【図面の簡単な説明】
【００１９】
【図１】本発明の容器の蓋部を開けた状態を示す拡大側面図である。
【図２】容器の蓋部を外側に180°回動させた状態を示す上面図である。
【図１】
2004262544.tif 000003
【図２】
2004262544.tif 000004
【外国語明細書】
2004262544.tif 000005
2004262544.tif 000006
2004262544.tif 000007
2004262544.tif 000008
2004262544.tif 000009
2004262544.tif 000010
2004262544.tif 000011
2004262544.tif 000012
2004262544.tif 000013
2004262544.tif 000014
2004262544.tif 000015
2004262544.tif 000016
【図１】
2004262544.tif 000017
【図２】
2004262544.tif 000018